(57)【要約】【課題】  高速道路等の路肩に設置して走行する自動車からの騒音を遮断する遮音パネルであって、自動車が衝突した際に、その衝撃力を吸収して遮音板が割れて飛散するのを防止する。【解決手段】  遮音板１の裏面における四方端部に押し縁材２〜４を配設して上側押し縁材２のみを遮音板１に複数個のネジによって固着する一方、両側押し縁材４、４をその両側端部に上下方向に所定間隔毎に設けている横長孔７に遮音板１の両側端部に固着しているネジ６を横長孔７の長さ方向に摺動可能に連結させ、この両側押し縁材４、４を隣接する支柱Ｂ、Ｂに固定して衝撃力を吸収するように構成している。【選択図】    図２
2005120695.tif 000002
【特許請求の範囲】
【請求項１】
合成樹脂製遮音板の上下端部の後面に上下押し縁材を重ね合わせて上側押し縁材のみを遮音板に固着すると共に、遮音板の両側端部の後面に両側押し縁材を重ね合わせて遮音板の両側端部に上下方向に所定間隔毎に固着しているネジを、これらの押し縁材に上下方向に所定間隔毎に設けている横長孔に該横長孔の長さ方向に摺動可能に挿通し且つ該ネジによって遮音板の両側端部の後面に上記両側押し縁材を連結してあり、さらに、上記遮音板の上下端部における前面側に上下枠をそれぞれ配してこれらの上下枠の後面と上下押し縁材の前面間に遮音板の上下端部を介在させた状態にして上下押し縁材を上下枠にそれぞれ一体に固着している一方、上記両側押し縁材の側面板部を支柱に固定するように構成していることを特徴とする遮音パネル。
【請求項２】
上下押し縁材と上下枠及び両側押し縁材は一定長さを有する断面Ｌ字状の形鋼材よりなり、遮音板の上下端部の後面に上記上下押し縁材における垂直前面板部をそれぞれ当てがって上側押し縁材のみを遮音板に固着していると共に、遮音板の両側端部の後面に上記両側押し縁材における垂直前面板部をそれぞれ重ね合わせて垂直前面板部に設けている横長孔に遮音板の両側端部に固着しているネジを摺動可能に装着してあり、さらに、上記上下押し縁材を上記上下枠の後面側にそれぞれ配してこれらの上下枠と上下押し縁材との対向する垂直前面板部間に遮音板の上下端部の受入れ溝をそれぞれ形成した状態で上下枠と上下押し縁材との垂直前面板部から後方に向かって屈折している水平面板部をそれぞれ互いに重ね合わせて固着している一方、上記遮音板の両側端部の前面を断面Ｈ形状の支柱におけるフランジ部の後面に当接させた状態にして両側押し縁材における垂直前面板部から後方に屈折している側面板部を支柱のウエブ部に固着するように構成していることを特徴とする請求項１に記載の遮音パネル。
【請求項３】
両側押し縁材に設けている横長孔にカラー部材を該横長孔の長さ方向に摺動自在に挿入している共に、このカラー部材に遮音板の両側端部に固着しているネジを挿通した状態で該ネジに螺合しているナットによりカラー部材を介して上記押し縁材を上記ネジが横長孔の長さ方向に摺動可能な所定の締付力でもって挟着していることを特徴とする請求項１又は請求項２に記載の遮音パネル。
【発明の詳細な説明】
【技術分野】
【０００１】
本発明は、高速道路の路肩や側壁に設置して、走行する自動車等の騒音を遮断したり、道路からの投物の落下を防止するための遮音パネルに関する。
【背景技術】
【０００２】
従来から、高速道路を走行する自動車からの騒音が道路周辺の住宅等に伝わるのを防止したり、或いは、道路側からの投物が路肩から落下するのを防止するために、道路の路肩部に道路に沿って遮音パネルを張りめぐらすことが行われている。このような遮音パネルとしては、上下横枠材と両側縦枠材とによって矩形状枠を形成し、この矩形状枠に遮音板を嵌め込んで、該遮音板の上端部を上側横枠材に複数個のボルトにより固着していると共に該遮音板の両側端部と下端部とを押し縁によって両側縦枠材と下側横枠材とにおける受け部に押しつけてこれらの押し縁と受け部とにより遮音板の両側端部と下端部とを挟着した状態にして該押し縁をボルトにより両側縦枠材と下側横枠材とに固着した構造のものが知られている（例えば、特許文献１参照）。
【０００３】
【特許文献１】特開平９−１５１４１８号公報
【発明の開示】
【発明が解決しようとする課題】
【０００４】
しかしながら、このような遮音パネルによれば、両側端部と下端部とは両側縦枠材と下側横枠材とにボルトにより固着することなく、これらの両側縦枠材と押し縁及び下側横枠材と押し縁とによってそれぞれ単に挟持しただけの支持構造であるため、遮音板に自動車が衝突した場合、該遮音板は上側横枠材に複数個のボルトによって固着されている上端部を支点として横断面Ｖ字状に屈曲変形しながら衝撃力を殆ど吸収することなくその両側端部と下端部とが両側縦枠材と押し縁間、及び下側横枠材と押し縁間から簡単に抜け出し、場合によって遮音板が割れて飛び散り、安全面において問題が生じるといった問題点がある。
【０００５】
矩形状枠からの遮音板の抜け出しを防止するには、該遮音板の四方端部を矩形状枠を構成している上記上下横枠材と両側縦枠材とにボルトによって強固に固着しておけばよいが、そうすると、遮音板がポリカーボネート樹脂のように熱による伸長、収縮率が大きい樹脂板からなる場合には、その伸縮によって遮音板が波打ち状に変形し、外観を著しく損する虞れがあり、また、衝撃力が遮音板の四方端部におけるボルトによる固着部に集中的に作用して遮音板に亀裂や割れが発生するといった問題点が生じる。
【０００６】
本発明は上記のような問題点に鑑みてなされたもので、その目的とするところは、自動車等が衝突した際における衝撃力を吸収して合成樹脂製遮音板が大きく屈折変形したり、割れが生じたりするのを防止すると共に、冬期と夏期とにおける温度差等により発生する上記遮音板の伸縮を効果的に吸収して波打ち状に変形するのを防止することができる遮音パネルを提供するにある。また、他の目的は、構造が簡単にして組立てや施工が容易な遮音パネルを提供するにある。
【課題を解決するための手段】
【０００７】
上記目的を達成するために、本発明の遮音パネルは、請求項１に記載したように、合成樹脂製遮音板の上下端部の後面に上下押し縁材を重ね合わせて上側押し縁材のみを遮音板に固着すると共に、遮音板の両側端部の後面に両側押し縁材を重ね合わせて遮音板の両側端部に上下方向に所定間隔毎に固着しているネジを、これらの押し縁材に上下方向に所定間隔毎に設けている横長孔に該横長孔の長さ方向に摺動可能に挿通し且つ該ネジによって遮音板の両側端部の後面に上記両側押し縁材を連結してあり、さらに、上記遮音板の上下端部における前面側に上下枠をそれぞれ配してこれらの上下枠の後面と上下押し縁材の前面間に遮音板の上下端部を介在させた状態にして上下押し縁材を上下枠にそれぞれ一体に固着している一方、上記両側押し縁材の側面板部を支柱に固定するように構成している。
【０００８】
このように構成した遮音パネルにおいて、請求項２に係る発明は、上記上下押し縁材と上下枠及び両側押し縁材を一定長さを有する断面Ｌ字状の形鋼材より形成し、遮音板の上下端部の後面に上記上下押し縁材における垂直前面板部をそれぞれ当てがって上側押し縁材のみを遮音板に固着していると共に、遮音板の両側端部の後面に上記両側押し縁材における垂直前面板部をそれぞれ重ね合わせて垂直前面板部に設けている横長孔に遮音板の両側端部に固着しているネジを摺動可能に装着してあり、さらに、上記上下押し縁材を上記上下枠の後面側にそれぞれ配してこれらの上下枠と上下押し縁材との対向する垂直前面板部間に遮音板の上下端部の受入れ溝をそれぞれ形成した状態で上下枠と上下押し縁材との垂直前面板部から後方に向かって屈折している水平面板部をそれぞれ互いに重ね合わせて固着している一方、上記遮音板の両側端部の前面を断面Ｉ形状の支柱におけるフランジ部の後面に当接させた状態にして両側押し縁材における垂直前面板部から後方に屈折している側面板部を支柱のフランジ部に固着するように構成していることを特徴とする。
【０００９】
上記のように構成した遮音パネルにおいて、請求項３に係る発明は、上記両側押し縁材に設けている横長孔にカラー部材を該横長孔の長さ方向に摺動自在に挿入している共に、このカラー部材に遮音板の両側端部に固着しているネジを挿通した状態で該ネジに螺合しているナットによりカラー部材を介して上記押し縁材を上記ネジが横長孔の長さ方向に摺動可能な所定の締付力でもって挟着していることを特徴とする。
【発明の効果】
【００１０】
本発明の遮音パネルによれば、遮音板の両側端部の後面に沿って配設している両側押し縁材の側面板部を隣接する支柱に取付けるように構成しているので、支柱に対する遮音パネルの取付作業が簡単且つ能率よく行える。
【００１１】
その上、遮音板の上下端部の後面に上下押し縁材を重ね合わせて上側押し縁材のみを遮音板に固着すると共に、遮音板の両側端部の後面に両側押し縁材を重ね合わせて遮音板の両側端部に上下方向に所定間隔毎に固着しているネジをこれらの押し縁材に上下方向に所定間隔毎に設けている横長孔に該横長孔の長さ方向に摺動可能に装着しているので、自動車等がこの遮音板に衝突して該衝撃力によって遮音板が横断面Ｖ字状に屈折変形してその両側端部が支柱のフランジ部と両側押し縁材との対向面間から内側方に抜け出そうとする際に、この遮音板の両側端部に固着しているネジが両側押し縁材の両側端部に設けている横長孔に対して大きな滑り抵抗でもって内側方に移動することになり、従って、この時の抵抗力によって上記衝撃力を緩衝的に吸収して遮音板が割れて飛散するのを防止することができる。
【００１２】
さらに、遮音板の両側端部に固着しているネジは、支柱に取付けた両側押し縁材に固着させることなく、上述したようにこの両側押し縁材に設けている横長孔に該横長孔の長さ方向、即ち、左右方向に摺動可能に装着していると共に遮音板の下端部も下側押し縁材に固着していないから、遮音板がポリカーボネート樹脂のように夏期や冬期の温度差による伸長、収縮率が大きい樹脂板からなる場合であっては、左右方向及び上下方向に円滑に伸縮させて遮音板が波打ち状に変形するのを防止することができ、常に、良好な遮音板の張設状態を保持しておくことができる。
【００１３】
また、請求項２に係る発明によれば、上記上下押し縁材と上下枠及び両側押し縁材は一定長さを有する断面Ｌ字状の形鋼材よりなり、遮音板の上下端部の後面に上記上下押し縁材における垂直前面板部をそれぞれ当てがって上側押し縁材のみを遮音板に固着していると共に、遮音板の両側端部の後面に上記両側押し縁材における垂直前面板部をそれぞれ重ね合わせて垂直前面板部に設けている横長孔に遮音板の両側端部に固着しているネジを摺動可能に装着しているので、遮音板の後面における四方端部に対する上下及び両側押し縁材の配設が容易に行えるばかりでなく、上記上下押し縁材を上記上下枠の後面側にそれぞれ配してこれらの上下枠と上下押し縁材との対向する垂直前面板部間に遮音板の上下端部の受入れ溝をそれぞれ形成した状態で上下枠と上下押し縁材との垂直前面板部から後方に向かって屈折している水平面板部をそれぞれ互いに重ね合わせて固着しているので、この遮音パネルの組立作業が簡単且つ能率よく行えると共に構造が極めて簡素化された遮音パネルを構成することができる。
【００１４】
さらに、上記両側押し縁材における垂直前面板部から後方に屈折している側面板部を直接、支柱のウエブ部に固着するように構成しているので、支柱に対する遮音パネルの施工作業が上述したように能率よく且つ正確に行うことができる。
【００１５】
請求項３に係る発明によれば、両側押し縁材に設けている横長孔にカラー部材を該横長孔の長さ方向に摺動自在に挿入している共に、このカラー部材に遮音板の両側端部に固着しているネジを挿通した状態で該ネジに螺合しているナットによりカラー部材を介して上記押し縁材を上記ネジが横長孔の長さ方向に摺動可能な所定の締付力でもって挟着しているので、ナットによる締付力、即ち、押し縁材に対する挟着力がカラー部材によって必要以上に大きくなるのを抑止することができると共に、自動車等が遮音板に衝突した際に、その衝突力によって遮音板の両側端部に固着しているネジが押し縁材の横長孔に沿って内側方に引き寄せられる時の引抜き抵抗力、即ち、押し縁材の横長孔に対する滑り抵抗力を所定の抵抗力となるように調整することができる。
【００１６】
なお、遮音板の両側端部に固着している上記ネジに螺合しているナットの締付力によって、押し縁材に設けている横長孔に挿入したカラー部材を介して押し縁材を前後面から挟着するに際して、ナットとカラー部材との対向面間に座金やゴムパッキン等を介在させて、これらの座金やゴムパッキンを介してナットの締付力を押縁材の前後面に作用させてもよい。
【発明を実施するための最良の形態】
【００１７】
次に本発明の具体的な実施の形態を図面について説明すると、図１〜図３において、遮音パネルＡは、矩形状の遮音板１の後面における上下端部と両側端部とに上下押し縁材２、３と両側押し縁材４、４とをそれぞれ重ね合わせ状態に配して遮音板１の後面における上端部に上側押し縁材２を複数個のネジ５によって固着していると共に、図４、図５に示すように、遮音板１の両側端部に上下方向に所定間隔毎にネジ６を固着してこれらのネジ６を両側押し縁材４、４に該ネジ６と同一間隔毎に設けている各横長孔７に摺動可能に挿通し且つ該ネジ６に螺合したナット８、８によって遮音板１の両側端部の後面に両側押し縁材４、４を連結してあり、さらに、遮音板１の上下端部における前面側に上下枠９、10をそれぞれ配してこれらの上下枠９、10の後面と上記上下押し縁材２、３の前面間に遮音板１の上下端部を介在させた状態にして上下押し縁材２、３を上下枠９、10にそれぞれ複数個のネジ11、12により一体に固着している一方、上記両側押し縁材４、４の側面板部を複数個のネジ13により支柱に取付けるように構成している。
【００１８】
上記遮音パネルＡの構成をさらに具体的に説明すると、遮音板１はポリカーボネートやアクリル樹脂板等の透光性と遮音性を有し且つ耐衝撃性に優れた樹脂板から形成されている一方、上記上下押し縁材２、３と両側押し縁材４、４及び上下枠９、10は、一定長さを有する断面Ｌ字状の形鋼材より形成されている。そして上側押し縁材２を、図３に示すようにその長さ方向を遮音板１の横幅方向に向け且つ一方の横長長方形状の板部を前面（正面）側に向けてこの板部を垂直前面板部2aとしてその上端から他方の平面横長長方形状の水平板部2bを後方に向かって直角に屈折させた状態に配して、該垂直前面板部2aの前面を遮音板１の上端部おける後面に当てがって、垂直前面板部2aの長さ方向に一定間隔毎に固着具の一つである上記複数個のネジ５により垂直前面板部2aを遮音板１の上端部後面に固着している。
【００１９】
さらに、上記上枠９も上側押し縁材２と同様に、その長さ方向を遮音板１の横幅方向に向け且つ一方の横長長方形状の板部を前面（正面）側に向けてこの板部を垂直前面板部9aとし、且つ、該垂直前面板部9aの上端から他方の平面横長長方形状の水平板部9bを後方に向かって直角に屈折させてあり、この上枠９の垂直前面板部9aの後面から上記遮音板１の厚みよりも幅広い間隔を存して上記上側押し縁材２の垂直前面板部2aを平行に配することにより、これらの垂直前面板部2a、9a間に遮音板１の上端部の受入れ溝14を形成していると共に、この状態で上枠９の水平板部9bの下面に上側押し縁材２の水平板部2bの上面を重ね合わせて固着具の一つである複数個のネジ11により左右方向に一定間隔毎に上側押し縁材２の水平板部2bを上枠９の水平板部9bの下面に一体に固着している。
【００２０】
また、上記下枠10も下側押し縁材３と同様に、その長さ方向を遮音板１の横幅方向に向け且つ一方の横長長方形状の板部を前面（正面）側に向けてこの板部を垂直前面板部10a とし、且つ、該垂直前面板部10a の下端から他方の平面横長長方形状の水平板部10b を後方に向かって直角に屈折させてあり、この下枠10の垂直前面板部10a の後面から上記遮音板１の厚みよりも幅広い間隔を存して上記下側押し縁材３の垂直前面板部3aを平行に配することにより、これらの垂直前面板部3a、10a 間に遮音板１の下端部の受入れ溝15を形成していると共に、この状態で下枠10の水平板部10b の上面に下側押し縁材３の水平板部3bの下面を重ね合わせて固着具の一つである複数個のネジ12により左右方向に一定間隔毎に下側押し縁材３の水平板部3bを上枠10の水平板部10b の下面に一体に固着している。さらに、上記受入れ溝15内においては、下枠10の垂直前面板部10a と遮音板１の下端部との対向面間に弾力性を有するシール材16を介在させている。
【００２１】
遮音板１の横幅は上記上下押し縁材２、３やこの上下押し縁材２、３と同一長さに形成している上下枠９、10の長さよりも幅広く形成されていてその両側端部を上下押し縁材２、３及び上下枠９、10の両側端面から両外側方に一定幅だけ突出させてあり、この両側端部に上下方向に所定間隔毎に固着具の一つである上記ネジ６を固着して図２、図４に示すようにこれらの各ネジ６を後方に向かって突出させ、その突出螺軸部分を遮音板１の両側端部の後面に重ね合わせ状態で配した両側押し縁材４、４の上記各横長孔７に挿通して該ネジ６に螺合した上下一対のナット８、８で長孔部分を前後面から挟持させることにより、遮音板１の両側端部の後面に両側押し縁材４、４を連結している。
【００２２】
この両側押し縁材４、４は上記上下枠９、10間の長さに略等しい一定長さを有する断面Ｌ字状の形鋼材よりなり、図４に示すようにその長さ方向を遮音板１の縦幅方向に向けた正面縦長長方形状の垂直前面板部4a、4aをそれぞれ遮音板１の両側端部の後面にシール材17を介し上述したように重ね合わせていると共に、この垂直前面板部4a、4aの外側端から後方に向かって直角に屈折している縦長長方形状の側面板部4b、4bをＨ形鋼よりなる支柱Ｂのウエブ部b1に固着具の一つである複数個のネジ13により固着するように構成している。なお、両側押し縁材４、４の側面板部4bと支柱Ｂのウエブ部b1には、長さ方向に一定間隔毎にネジ挿通孔19、20をそれぞれ設けてあり、これらのネジ挿通孔19、20に上記ネジ13を挿通してナット13' により固着するように構成している。
【００２３】
さらに、これらの押し縁材４、４の上記垂直前面板部4aには、遮音板１の両側端部に固着している上記ネジ６と同一間隔毎でもって且つこれらの各ネジ６と対応させて上記横長孔７を穿設していると共に、各ネジ６に垂直前面板部4aの厚みと同等の長さを有し且つ横長孔７の孔幅に等しい外径を有する短筒形状のカラー部材21を被嵌してこのカラー部材21を横長孔７に摺動自在に挿入した状態でネジ６に螺合している２つのナット８、８により該カラー部材21および押し縁材４、４の前後端面を挟着させている。そのため、ナット８、８を強く締付けてもカラー部材21の端面により必要以上の締付けが規制されるので、上記ネジ６が横長孔７の長さ方向に摺動可能な所定の締付力でもってナット８、８を押し縁材４に挟着させることができる。従って、自動車等が遮音板１に衝突した際に、その衝突力によって遮音板１の両側端部に固着している上記ネジ６が押し縁材４の横長孔７に沿って内側方に引き寄せられる時の引抜き抵抗力、即ち、押し縁材４の横長孔７に対する滑り抵抗力が所定の抵抗力となるように上記ナット８、８の締付力を調整することができる。
【００２４】
このような滑り抵抗は、上記ナット８、８を横長孔７の前後周辺面に座金又はゴムパッキンを介して圧着する圧着力によって発生させてもよく、又、上記カラー部材21を弾性変形可能な部材により形成しておくと共に押し縁材４の垂直前面板部4aの厚みよりも僅かに長く形成しておき、ナット８、８の締付力によってカラー部材21を拡径方向に変形させ、横長孔７の孔壁に対する摩擦力によって発生させてもよい。
【００２５】
以上のように構成した遮音パネルＡを、高速道路端等に沿って一定間隔毎に立設している支柱Ｂ、Ｂ・・・における隣接する支柱Ｂ、Ｂ間に施工するには、上下枠９、10の両側端面から外側方に突出している遮音板１の両側端部の前面をシール材18、18を介して支柱Ｂ、Ｂの前側の対向するフランジ部b2、b2における後面に当てがうと共に、遮音板１の両側端部の後面に上記ネジ６を介して連結している両側押し縁材４、４の側面板部4bの外側面を支柱Ｂ、Ｂのウエブ部b1に重ね合わせ、側面板部4bとウエブ部b1とに設けているネジ挿通孔19、20を連通させてこれらの各ネジ挿通孔19、20にネジ13を挿通し、ナット13' により固着する。
【００２６】
この遮音パネルＡの施工は、その両側押し縁材４、４を隣接する支柱Ｂ、Ｂの後面側に押し付けて上述したようにネジ13により固着するという作業により簡単に行うことができ、遮音パネルＡを能率よく施工することができる。
【００２７】
このように、各隣接する支柱Ｂ、Ｂ間に遮音パネルＡを張設、固定する作業を支柱Ｂの長さ方向に複数枚の遮音パネルが積み重なるように順次行って遮音壁を構築するものである。なお、遮音パネルＡを施工した状態においては、遮音板１の両側端部と両側押し縁材４、４とを連結しているネジ６、６は、横長孔７の外側端部側に配置された取付形態となるように構成している。
【００２８】
次に、上記のように施工した遮音パネルＡの遮音板１に自動車が衝突した場合、その衝撃力によって遮音板１は、上側押し縁材２にネジ５により固着している上端部を支点としてネジにより下側押し縁材３に固着されていない該遮音板１の下端部が下枠10と下側押し縁材３間の受入溝15から引き出される方向に作用を受けると共に遮音板１の両側端部は支柱Ｂのフランジ部b2と支柱Ｂに固着した両側押し縁材４、４の垂直前面板部4aとの間から内側方に向かって抜け出る方向に引き寄せられながら道路外に向かって横断面Ｖ字状に屈曲変形する。
【００２９】
この際、上記衝撃力によって遮音板１の両側端部が支柱Ｂのフランジ部b2と両側押し縁材４、４の垂直前面板部4a間から内側方に向かって引き出される方向に移動する時に、遮音板１の両側端部に固着しているネジ６が両側押し縁材４に設けている横長孔７内を遮音板１の両側端部と一体的に内側方に摺動し、該ネジ６に螺合しているナット８、８による横長孔７に対する挟着力、又は、ネジ６に被嵌しているカラー部材21と横長孔７との摩擦力によって滑り抵抗が発生し、このこの滑り抵抗によって上記衝撃力が吸収、緩衝されて遮音板１が割れて飛散するのを防止することができると共に、ネジ６が横長孔７の内側端部に受止されて遮音板１が両側押し縁材４、４から離脱するのを防止することができる。
【００３０】
なお、以上の実施の形態においては、両側押し縁材４、４を断面Ｌ字状の形鋼材より形成し、その垂直前面板部4aに横長孔７を設けたが、図６、図７に示すように、角パイプ形状のアルミ材から押し縁材4'を形成し、この押し縁材4'の縦長長方形状の垂直後面板部4b' に横長孔７を上下方向に一定間隔毎に設け、各横長孔７に上記実施の形態と同様に、遮音板１の両側端部に固着しているネジ６をナット８、８とカラー部材21とによって所定の所定の滑り抵抗が得られるように連結した構造としておいてもよい。また、支柱Ｂに対するこの押し縁材4'の取付けは、支柱Ｂのウエブ部b1にネジにより固着することなく、その縦長長方形状の垂直前面板部4a' の外側部に段部22を設け、この段部22を支柱Ｂのフランジ部b2にネジ13' により固着するように構成しておいてもよい。
【図面の簡単な説明】
【００３１】
【図１】支柱間に取付けた遮音パネルを正面側から見た状態の簡略斜視図。
【図２】その一部を省略した横断面図。
【図３】その一部を省略した縦断側面図。
【図４】支柱に対する取付け状態を示す拡大横断面図。
【図５】その横長孔部分の簡略正面図。
【図６】別な形状の側方押し縁材の一部の斜視図。
【図７】この押し縁材の使用状態を示す簡略横断面図。
【符号の説明】
【００３２】
Ａ  遮音パネル
Ｂ  支柱
１  遮音板
２、３  上下押し縁材
４、４  両側押し縁材
2a、3a、4a  垂直前面板部
2b、3b  水平板部
4b  側面板部
５、６  ネジ
７  横長孔
８  ナット
９、10  上下枠
21  カラー部材
【図１】
2005120695.tif 000003
【図２】
2005120695.tif 000004
【図３】
2005120695.tif 000005
【図４】
2005120695.tif 000006
【図５】
2005120695.tif 000007
【図６】
2005120695.tif 000008
【図７】
2005120695.tif 000009